【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
複数のアイコンが２次元配列されて表示される表示領域を有する表示部と、
前記複数のアイコンと重ならない領域に互いに離間して設けられた一対のセンサを有し、該一対のセンサに対する第１の操作の操作位置を検出する第１のセンサ部と、
前記第１のセンサ部により検出された前記第１の操作の操作位置に基づいて、前記表示領域に表示された前記複数のアイコンのうちの特定のアイコンを選択するアイコン選択部と、
を備えることを特徴とする入力装置。
【請求項２】
前記第１のセンサ部における前記一対のセンサの各々は、人体が接触したときの該人体の接触位置を検出するタッチセンサであり、
前記第１の操作は、前記一対のセンサの一方と他方のタッチセンサの各々に人体を接触させる操作であり、
前記第１のセンサ部は、前記一方のタッチセンサが検出した第１の接触位置と、前記他方のタッチセンサが検出した第２の接触位置とを、前記操作位置として検出することを特徴とする請求項１に記載の入力装置。
【請求項３】
前記アイコン選択部は、第１のカーソルラインを、前記表示領域の前記第１の接触位置に対応した位置に表示させ、第２のカーソルラインを、前記表示領域の前記第２の接触位置に対応した位置に表示させ、前記第１のカーソルラインと前記第２のカーソルラインとの交点に位置するアイコンを前記特定のアイコンとして選択することを特徴とする請求項２に記載の入力装置。
【請求項４】
前記アイコン選択部は、前記第１の接触位置の変化に応じて、前記第１のカーソルラインの表示位置を変化させ、前記第２の接触位置の変化に応じて、前記第２のカーソルラインの表示位置を変化させることを特徴とする請求項３に記載の入力装置。
【請求項５】
前記複数のアイコンは、第１の方向と第２の方向に沿って２次元配列され、
前記第１のセンサ部は、前記一対のセンサとして、前記第１の方向に対応した第３の方向に沿って延在して設けられた第１タッチセンサと、前記第２の方向に対応した第４の方向に沿って延在して設けられた第２タッチセンサと、を有し、前記第１及び前記第２のタッチセンサは互いに重ならない領域に設けられていることを特徴とする請求項２乃至４のいずれかに記載の入力装置。
【請求項６】
前記第１のセンサ部は、前記タッチセンサとして、前記第１の方向に対応した第５の方向に沿って延在し、前記表示領域を挟んで前記第１タッチセンサと対向する位置に設けられた第３タッチセンサと、前記第２の方向に対応した第６の方向に沿って延在し、前記表示領域を挟んで前記第２タッチセンサと対向する位置に設けられた第４タッチセンサと、を有し、前記第１乃至第４のタッチセンサは互いに重ならない領域に設けられ、前記第１タッチセンサと前記第３タッチセンサのいずれか一方と、前記第２タッチセンサと前記第４タッチセンサのいずれか一方と、を前記一対のセンサとすることを特徴とする請求項５に記載の入力装置。
【請求項７】
前記複数のアイコンの各々は、互いに異なる機能に関連付けられており、
前記入力装置は、更に、
予め設定された第２の操作が前記入力装置に対して行われたか否かを検出し、前記第２の操作が行われたことが検出されたときに、前記特定のアイコンに関連付けられた前記機能を実行させるアイコン機能実行部と、
を備えることを特徴とする請求項１乃至６のいずれかに記載の入力装置。
【請求項８】
前記アイコン機能実行部は、前記入力装置に対する人体の接触状態の変化を前記第２の操作として検出することを特徴とすることを特徴とする請求項７記載の入力装置。
【請求項９】
前記第１のセンサ部における前記一対のセンサの各々は、人体が接触したときの該人体の接触位置を検出するタッチセンサであり、
前記アイコン機能実行部は、前記第１のセンサ部の前記一対のセンサの少なくとも一方を用いて前記第２の操作が行われたか否かを検出することを特徴とする請求項７又は８に記載の入力装置。
【請求項１０】
前記アイコン機能実行部は、前記第２の操作を検出する、前記第１のセンサ部と異なる第２のセンサ部を有し、
前記第２のセンサ部は、前記第１のセンサ部の前記一対のセンサの少なくとも一方と一体的に設けられた押しボタン型の操作スイッチを有することを特徴とする請求項７又は８に記載の入力装置。
【請求項１１】
前記アイコン機能実行部は、前記第２の操作を検出する、前記第１のセンサ部と異なる第２のセンサ部を有し、
前記第２のセンサ部は、前記表示領域の視野側に設けられたタッチパネルを有することを特徴とする請求項７又は８に記載の入力装置。
【請求項１２】
前記第１のセンサ部における前記一対のセンサは、前記表示部を取り囲む筐体の外周側面に沿って延在して設けられていることを特徴とする請求項１乃至１１のいずれかに記載の入力装置。
【請求項１３】
前記表示部は、前記表示領域の周囲を囲む外周領域を有し、
前記第１のセンサ部における前記一対のセンサは、前記表示部の前記外周領域に設けられていることを特徴とする請求項１乃至１２のいずれかに記載の入力装置。
【請求項１４】
前記第１のセンサ部における前記一対のセンサは、前記表示部の前記表示領域における、前記２次元配列された複数のアイコンの外側の領域に設けられていることを特徴とする請求項１乃至１３のいずれかに記載の入力装置。
【請求項１５】
請求項１乃至１４のいずれかに記載の入力装置が実装されてなることを特徴とする電子機器。
【請求項１６】
入力装置における入力操作方法であって、
前記入力装置は、複数のアイコンが表示される表示部と、前記複数のアイコンと重ならない領域に互いに離間して設けられた一対のセンサを有する第１のセンサ部と、を有し、
前記表示部の表示領域に前記複数のアイコンを２次元配列して表示し、
前記第１のセンサ部により、前記一対のセンサに対する第１の操作の操作位置を検出し、
前記第１のセンサ部により検出された前記第１の操作の操作位置に基づいて、前記表示領域に表示された前記複数のアイコンのうちの特定のアイコンを選択する、ことを特徴とする入力操作方法。
【請求項１７】
前記第１のセンサ部における前記一対のセンサの各々は、人体が接触したときの該人体の接触位置を検出するタッチセンサであり、
前記一対のセンサの一方と他方のタッチセンサの各々に人体を接触させる動作を前記第１の操作とし、
前記第１の操作の前記操作位置を検出する動作は、前記一方のタッチセンサに対して人体が接触した第１の接触位置と、前記他方のタッチセンサに対して人体が接触した第２の接触位置とを、前記操作位置として検出する動作を含むことを特徴とする請求項１６に記載の入力操作方法。
【請求項１８】
前記特定のアイコンを選択する動作は、第１のカーソルラインを、前記表示領域の前記第１の接触位置に対応した位置に表示させ、前記第１の接触位置の変化に応じて、前記第１のカーソルラインの表示位置を変化させ、第２のカーソルラインを、前記表示領域の前記第２の接触位置に対応した位置に表示させ、前記第２の接触位置の変化に応じて、前記第２のカーソルラインの表示位置を変化させ、前記第１のカーソルラインと前記第２のカーソルラインとの交点に位置するアイコンを前記特定のアイコンとして選択する動作を含むことを特徴とする請求項１７に記載の入力操作方法。
【請求項１９】
前記複数のアイコンの各々は、互いに異なる機能に関連付けられており、
前記入力操作方法は、更に、
予め設定された第２の操作が前記入力装置に対して行われたか否かを検出し、
前記第２の操作が行われたことが検出されたときに、前記選択された前記特定のアイコンに関連付けられた特定の前記機能を実行させる動作を含むことを特徴とする請求項１６乃至１８のいずれかに記載の入力操作方法。
【請求項２０】
入力装置において複数のアイコンの何れかを選択する制御プログラムにおいて、
前記入力装置は、前記複数のアイコンが表示される表示部と、前記複数のアイコンと重ならない領域に互いに離間して設けられた一対のセンサを有する第１のセンサ部と、を有し、
コンピュータに、
前記表示部の表示領域に前記複数のアイコンを２次元配列して表示させ、
前記第１のセンサ部により、前記一対のセンサに対する第１の操作の操作位置を検出させ、
前記第１のセンサ部により検出された前記第１の操作の操作位置に基づいて、前記表示領域に表示された前記複数のアイコンのうちの特定のアイコンを選択させる、
ことを特徴とする制御プログラム。
【手続補正２】
【補正対象書類名】明細書
【補正対象項目名】０００９
【補正方法】変更
【補正の内容】
【０００９】
本発明に係る入力装置は、
複数のアイコンが２次元配列されて表示される表示領域を有する表示部と、
前記複数のアイコンと重ならない領域に互いに離間して設けられた一対のセンサを有し、該一対のセンサに対する第１の操作の操作位置を検出する第１のセンサ部と、
前記第１のセンサ部により検出された前記第１の操作の操作位置に基づいて、前記表示領域に表示された前記複数のアイコンのうちの特定のアイコンを選択するアイコン選択部と、
を備えることを特徴とする。
【手続補正３】
【補正対象書類名】明細書
【補正対象項目名】００１０
【補正方法】変更
【補正の内容】
【００１０】
本発明に係る入力操作方法は、
入力装置における入力操作方法であって、
前記入力装置は、複数のアイコンが表示される表示部と、前記複数のアイコンと重ならない領域に互いに離間して設けられた一対のセンサを有する第１のセンサ部と、を有し、
前記表示部の表示領域に前記複数のアイコンを２次元配列して表示し、
前記第１のセンサ部により、前記一対のセンサに対する第１の操作の操作位置を検出し、
前記第１のセンサ部により検出された前記第１の操作の操作位置に基づいて、前記表示領域に表示された前記複数のアイコンのうちの特定のアイコンを選択する、ことを特徴とする。
【手続補正４】
【補正対象書類名】明細書
【補正対象項目名】００１１
【補正方法】変更
【補正の内容】
【００１１】
本発明に係る制御プログラムは、
入力装置において複数のアイコンの何れかを選択する制御プログラムにおいて、
前記入力装置は、前記複数のアイコンが表示される表示部と、前記複数のアイコンと重ならない領域に互いに離間して設けられた一対のセンサを有する第１のセンサ部と、を有し、
コンピュータに、
前記表示部の表示領域に前記複数のアイコンを２次元配列して表示させ、
前記第１のセンサ部により、前記一対のセンサに対する第１の操作の操作位置を検出させ、
前記第１のセンサ部により検出された前記第１の操作の操作位置に基づいて、前記表示領域に表示された前記複数のアイコンのうちの特定のアイコンを選択させる、
ことを特徴とする。